【手続補正書】
【提出日】平成17年8月31日(2005.8.31)
【手続補正１】
【補正対象書類名】明細書
【補正対象項目名】特許請求の範囲
【補正方法】変更
【補正の内容】
【特許請求の範囲】
【請求項１】
少なくとも代替記録媒体のサイズを含む設定情報を格納する格納手段と、
印刷指示により指定されたサイズの記録媒体が使用できない場合に、該格納手段に格納された設定情報に基づいて使用する記録媒体のサイズを代替記録媒体のサイズに自動的に変更して印刷指示を実行する処理手段とを備え、
該処理手段は、該印刷指示により指定されたサイズと該代替記録媒体のサイズとの縮小比率が整数比で表される場合には、該縮小比率に応じた枚数の記録媒体を用いて印刷を行うことを特徴とする、画像形成装置。
【請求項２】
前記設定情報は、情報を印刷する際の変倍の有無及び／又は記録媒体上の印刷位置を含むことを特徴とする、請求項１記載の画像形成装置。
【請求項３】
外部からの設定指示に応答して前記設定情報を前記格納手段に格納する手段を更に備えたことを特徴とする、請求項１又は２記載の画像形成装置。
【請求項４】
前記印刷指示により指定されたサイズの記録媒体が使用できない、或いは、前記格納手段に対応する設定情報が格納されていない場合に、前記外部へ使用可能なサイズの記録媒体の情報と共に通知して前記設定指示を要求する手段を更に備えたことを特徴とする、請求項３記載の画像形成装置。
【請求項５】
前記設定情報を設定して前記格納手段に格納する設定手段を更に備えたことを特徴とする、請求項１又は２記載の画像形成装置。
【請求項６】
前記設定情報は、テーブル形式で前記設定手段に格納されていることを特徴とする、請求項１〜５のいずれか１項記載の画像形成装置。
【請求項７】
前記処理手段は、１つの印刷ジョブ内での同一サイズの記録媒体の２枚目以降については前記設定情報を無効とすることを特徴とする、請求項１〜６のいずれか１項記載の画像形成装置。
【請求項８】
前記処理手段は、１つの印刷ジョブ内でスタック又はソートを行って複数部数を印刷中に１つのページの２部目以降については前記設定情報を無効とすることを特徴とする、請求項１〜６のいずれか１項記載の画像形成装置。
【請求項９】
前記設定情報は、ユーザ毎に前記格納手段に格納することを特徴とする、請求項１〜８のいずれか１項記載の画像形成装置。
【請求項１０】
少なくとも代替記録媒体のサイズを含む設定情報を格納手段から読み出す読出ステップと、
印刷指示により指定されたサイズの記録媒体が使用できない場合に、該設定情報に基づいて使用する記録媒体のサイズを代替記録媒体のサイズに自動的に変更して印刷指示を実行する処理ステップとを含み、
該処理ステップは、該印刷指示により指定されたサイズと該代替記録媒体のサイズとの縮小比率が整数比で表される場合には、該縮小比率に応じた枚数の記録媒体を用いて印刷を行うことを特徴とする、画像形成方法。
【請求項１１】
前記設定情報は、情報を印刷する際の変倍の有無及び／又は記録媒体上の印刷位置を含むことを特徴とする、請求項１０記載の画像形成方法。
【請求項１２】
外部からの設定指示に応答して前記設定情報を前記格納手段に格納する登録ステップを更に含むことを特徴とする、請求項１０又は１１記載の画像形成方法。
【請求項１３】
前記印刷指示により指定されたサイズの記録媒体が使用できない、或いは、前記格納手段に対応する設定情報が格納されていない場合に、前記外部へ使用可能なサイズの記録媒体の情報と通知して前記設定指示を要求するステップを更に含むことを特徴とする、請求項１２記載の画像形成方法。
【請求項１４】
前記設定情報を設定して前記格納手段に格納する設定ステップを更に含むことを特徴とする、請求項１０又は１１記載の画像形成方法。
【請求項１５】
前記設定情報は、テーブル形式で前記設定手段に格納されていることを特徴とする、請求項１０〜１４のいずれか１項記載の画像形成方法。
【請求項１６】
前記処理ステップは、１つの印刷ジョブ内での同一サイズの記録媒体の２枚目以降については前記設定情報を無効とすることを特徴とする、請求項１０〜１５のいずれか１項記載の画像形成方法。
【請求項１７】
前記処理ステップは、１つの印刷ジョブ内でスタック又はソートを行って複数部数を印刷中に１つのページの２部目以降については前記設定情報を無効とすることを特徴とする、請求項１０〜１５のいずれか１項記載の画像形成方法。
【請求項１８】
前記設定情報は、ユーザ毎に前記格納手段に格納することを特徴とする、請求項１０〜１７のいずれか１項記載の画像形成方法。
【請求項１９】
コンピュータに、印刷指示に応答して記録媒体に対する印刷を行わせるコンピュータプログラムであって、
該コンピュータに、少なくとも代替記録媒体のサイズを含む設定情報を格納手段から読み出させる読出手順と、
該コンピュータに、前記印刷指示により指定されたサイズの記録媒体が使用できない場合に、該設定情報に基づいて使用する記録媒体のサイズを代替記録媒体のサイズに自動的に変更して印刷指示を実行させる処理手順とを含み、
該処理手順は、該コンピュータに、該印刷指示により指定されたサイズと該代替記録媒体のサイズとの縮小比率が整数比で表される場合には、該縮小比率に応じた枚数の記録媒体を用いて印刷を行わせることを特徴とする、コンピュータプログラム。
【請求項２０】
コンピュータに、記録媒体に対する印刷を指示させるコンピュータプログラムであって、
該コンピュータに、印刷指示により指定されたサイズの記録媒体が使用できない場合に使用するべき代替記録媒体のサイズを含む設定情報を登録させる登録手順を含むことを特徴とする、コンピュータプログラム。
【請求項２１】
前記コンピュータプログラムは、前記印刷指示を画像形成装置に対して出力するホスト装置内のコンピュータ、又は、前記記憶媒体に対する印刷を行う画像形成装置内のコンピュータに対するものであることを特徴とする、請求項２０記載のコンピュータプログラム。
【手続補正２】
【補正対象書類名】明細書
【補正対象項目名】００１１
【補正方法】変更
【補正の内容】
【００１１】
【課題を解決するための手段】
上記の課題は、請求項１記載の、少なくとも代替記録媒体のサイズを含む設定情報を格納する格納手段と、印刷指示により指定されたサイズの記録媒体が使用できない場合に、該格納手段に格納された設定情報に基づいて使用する記録媒体のサイズを代替記録媒体のサイズに自動的に変更して印刷指示を実行する処理手段とを備え、該処理手段は、該印刷指示により指定されたサイズと該代替記録媒体のサイズとの縮小比率が整数比で表される場合には、該縮小比率に応じた枚数の記録媒体を用いて印刷を行うことを特徴とする画像形成装置によって達成できる。
【手続補正３】
【補正対象書類名】明細書
【補正対象項目名】００２０
【補正方法】変更
【補正の内容】
【００２０】
上記の課題は、請求項１０記載の、少なくとも代替記録媒体のサイズを含む設定情報を格納手段から読み出す読出ステップと、印刷指示により指定されたサイズの記録媒体が使用できない場合に、該設定情報に基づいて使用する記録媒体のサイズを代替記録媒体のサイズに自動的に変更して印刷指示を実行する処理ステップとを含み、該処理ステップは、該印刷指示により指定されたサイズと該代替記録媒体のサイズとの縮小比率が整数比で表される場合には、該縮小比率に応じた枚数の記録媒体を用いて印刷を行うことを特徴とする画像形成方法によっても達成できる。
【手続補正４】
【補正対象書類名】明細書
【補正対象項目名】００２９
【補正方法】変更
【補正の内容】
【００２９】
上記の課題は、請求項１９記載の、コンピュータに、印刷指示に応答して記録媒体に対する印刷を行わせるコンピュータプログラムであって、該コンピュータに、少なくとも代替記録媒体のサイズを含む設定情報を格納手段から読み出させる読出手順と、該コンピュータに、前記印刷指示により指定されたサイズの記録媒体が使用できない場合に、該設定情報に基づいて使用する記録媒体のサイズを代替記録媒体のサイズに自動的に変更して印刷指示を実行させる処理手順とを含み、該処理手順は、該コンピュータに、該印刷指示により指定されたサイズと該代替記録媒体のサイズとの縮小比率が整数比で表される場合には、該縮小比率に応じた枚数の記録媒体を用いて印刷を行わせることを特徴とするコンピュータプログラムによっても達成できる。